(57)【要約】【課題】医療用電子画像の普及が進み、従来のレントゲンフィルムによる診断と混在してきており、両者を診断できる装置が望まれてきている。【解決手段】投写型表示装置において、電子画像を投写する場合の光学系と、シャーカステンとして使用する場合の光学系とを別個に備え、それぞれの光学系を切り換えることにより、耐用性および信頼性の高い装置を実現する。【選択図】図１
2008058533.tif 000002
【特許請求の範囲】
【請求項１】
スクリーンと、
電子画像により変調された光を前記スクリーンに照射する第１の照明部と、
バックライト光としての白色光を前記スクリーンに照射する２の照明部と、
前記第１の照明部と前記第２の照明部とを切り換える照明部切換手段と、
を備える投写型表示装置。
【請求項２】
前記第１の照明部は、第１の光源を含み電子画像により変調された光を出射する第１の光学駆動部と、前記第１の光学駆動部から出射された光を拡大する第１の投射レンズと、を有し、
前記第２の照明部は、第２の光源を含みバックライト光としての白色光を出射する第２の光学駆動部と、前記第２の光学駆動部から出射された光を拡大する第２の投射レンズと、を有する、
請求項１に記載の投写型表示装置。
【請求項３】
前記第１の光学駆動部は、前記第１の光源から出射した光を集光する照明光学系と、前記電子画像に基づいて透過率を変化させることにより、前記照明光学系からの光に変調をかける光学表示素子と、を有する、
請求項２に記載の投写型表示装置。
【請求項４】
前記第１の光源及び前記第２の光源は、移動可能な１つの光源であって、
前記光源は、前記照明部切換手段が前記第１の照明部を選択している場合、前記第１の照明部に含まれる第１の位置に配置され、前記照明部切換手段が前記第２の照明部を選択している場合、前記第２の照明部に含まれる第２の位置に配置される、
請求項２又は３に記載の投写型表示装置。
【請求項５】
前記投射レンズから出射された光を反射し、前記スクリーンに投射する折り返しミラーをさらに備える、
請求項１から４のいずれかに記載の投写型表示装置。
【請求項６】
前記電子画像を記憶する電子画像記憶手段をさらに備える、
請求項１から５のいずれかに記載の投写型表示装置。
【請求項７】
前記スクリーンの外周部の少なくとも一部に配置され、レントゲンフィルムをスクリーン上に保持するレントゲンフィルム保持手段と、
レントゲンフィルムが差し込まれたことを検出するレントゲンフィルム差込検出部と、
をさらに備え、
前記照明部切換手段は、前記レントゲンフィルムが前記レントゲンフィルム保持手段に差し込まれた場合、前記第２の照明部を選択する、
請求項１から６のいずれかに記載の投写型表示装置。
【発明の詳細な説明】
【技術分野】
【０００１】
本発明は、投写型表示装置、特にスクリーンの背面から投写する投写型表示装置に関する。
【背景技術】
【０００２】
医療現場において、Ｘ線レントゲンフィルムや磁気共鳴映像（ＭＲＩ）のフィルムなどの画像を観察し、診断することが一般によく行われている。レントゲン画像は大判のフィルムに焼き付けられる。そして、このレントゲンフィルムをシャーカステンとよばれる白色面光源の前に置いて、レントゲンフィルムを透過してくるシャーカステンの光を観察して診断がなされる。これらの医療画像の診察において、的確な診断を行うために複数の医療画像を同時に比較することが求められる。
ここで、シャーカステンは、一般的に、横長長方形状のスクリーンの背面に白色蛍光灯が数本配列された構造になっており、スクリーン表面からはほぼ均一の白色光が出射される。また、白色光だけでは判別しにくかった画像情報を特徴的に浮かび上がらせて読影しやすくするために、青色、緑色、赤色などのカラー光源を用いるシャーカステンも提案されている（例えば特許文献１参照）。
一方で、近年、レントゲン画像を電子化し、電子ディスプレイで診断を行うことが多くなってきている。レントゲン画像を電子化することで、データの保管と整理が容易となり、レントゲン診断の高速化とコストの低下が見込め、今後も電子ディスプレイでのレントゲン診断が拡大していくものと予測される。
【０００３】
しかし、実際の医療現場では、全てのレントゲン画像が電子化されているわけではなく、レントゲンフィルムとレントゲン電子画像とが混在している。
そこで、利便性や省スペース化を考慮して、液晶ディスプレイをディスプレイおよびシャーカステンとして用いることが提案されている。
【特許文献１】特開２０００−２４１７４９号公報
【発明の開示】
【発明が解決しようとする課題】
【０００４】
この種の電子ディスプレイとしては、医療画像の解像度と階調性において、レントゲンフィルムで観察していたのと同様のものが要求されることから、現在では、２０インチ前後のモノクロの液晶ディスプレイが用いられている。また、液晶ディスプレイに代えて、投写型表示装置を用いることを、本件出願人は、提案し、開発している。投写型表示装置において、レントゲンフィルムにより診断する場合、投写型表示装置のスクリーン全体が全白表示され、レントゲンフィルムがスクリーン上に固定され、その固定されたレントゲンフィルムを読影することで、診断が行われる。一方、レントゲン電子画像により診断する場合、レントゲン電子画像により変調された光が投写型表示装置のスクリーン上に投射され、スクリーン上にレントゲン電子画像が表示され、そのレントゲン電子画像を読影することで診断が行われる。この種の電子ディスプレイでは、医療診断に耐えうるレントゲン電子画像に必要なスクリーンの輝度とシャーカステンとして使用に耐えうるスクリーンの輝度とが異なる。例えば、レントゲン電子画像により診断する場合、スクリーン上の輝度は約５００ｃｄ／ｍ２であればよい。それに対して、レントゲンフィルムにより診断する場合、レントゲンフィルムの透過率を考慮すると、スクリーン上の輝度は約３０００ｃｄ／ｍ２が必要となる。このように、読影に必要とされる両者の輝度には、かなりの開きがある。
【０００５】
一方で、従来の投写型表示装置においては、通常、光学表示素子の信頼性及び耐久性を確保するため、スクリーン上の中心輝度が４００〜５００ｃｄ／ｍ２になるように設計されている。このため、同一光学系で３０００ｃｄ／ｍ２の輝度を実現することは難しく、シャーカステンとして使用する場合にスクリーン上の輝度が不足してしまう。
このように、１台の投写型表示装置において、ディスプレイとして求められる性能（電子画像表示機能の性能）とバックライトとして求められる性能（シャーカステン機能の性能）とを両立することは困難である。
本発明の第１の課題は、ディスプレイおよびバックライトとして使用できる投写型表示装置において、ディスプレイとしての性能とバックライトとしての性能との両立を図ることである。
本発明の第２の課題は、投写型表示装置において使用される光学表示素子の信頼性及び耐久性を確保し、投写型表示装置の信頼性及び耐久性を向上させることである。
【課題を解決するための手段】
【０００６】
第１の発明は、スクリーンと、電子画像により変調された光を前記スクリーンに照射する第１の照明部と、バックライト光としての白色光を前記スクリーンに照射する２の照明部と、第１の照明部と第２の照明部とを切り換える照明部切換手段と、を備える投写型表示装置である。
この投写型表示装置では、照明部切換手段が第１の照明部を選択している場合、電子画像により変調された光がスクリーンに照射され、スクリーン上に電子画像が表示される。一方、照明部切換手段が第２の照明部を選択している場合、スクリーンには白色光が照射され、スクリーンをバックライトとして使用できる。このように、この投写型表示装置では、異なる機能を有する２つの光学系を切り換えることで、それぞれの機能に適したスクリーン上の輝度を実現することができ、ディスプレイとしての性能とバックライトとしての性能との両立を図ることができる。
第２の発明は、第１の発明であって、第１の照明部が、第１の光源を含み、画像信号により変調された光を出射する第１の光学駆動部と、第１の光学駆動部から出射された光を拡大する第１の投射レンズと、を有している。第２の照明部は、第２の光源を含み、バックライト光としての白色光を出射する第２の光学駆動部と、第２の光学駆動部から出射された光を拡大する第２の投射レンズと、を有している。
【０００７】
第３の発明は、第２の発明であって、第１の光学駆動部が、第１の光源から出射した光を集光する照明光学系と、電子画像に基づいて透過率を変化させることにより、照明光学系からの光に変調をかける光学表示素子と、を有する。
これにより、電子画像を投写型表示装置のスクリーン上に表示させることができる。
また、この投写型表示装置では、シャーカステン機能を実現させる場合、光源から出射された光を照明系と拡大機能を持つ投写レンズにより構成される光学系のみを通過させ、スクリーン上で全面白表示かつ高輝度表示を実現させる。一方、レントゲン電子画像表示機能を実現させる場合、光源から出射された光を、照明系、投射レンズ、および光学表示素子を通過させることで、スクリーン上にレントゲン電子画像を表示させる。これにより、シャーカステン機能を実現させる場合に、光源から出射された光が光学表示素子を通過することがないので、光学表示素子が熱等でダメージを受けることがなく、耐用性に優れ、信頼性の高い投写型表示装置を実現することができる。
第４の発明は、第２又は第３の発明であって、第１の光源及び第２の光源が、移動可能な１つの光源である。光源は、照明部切換手段が第１の照明部を選択している場合、第１の照明部に含まれる第１の位置に配置され、照明部切換手段が第２の照明部を選択している場合、第２の照明部に含まれる第２の位置に配置される。
【０００８】
この投写型表示装置では、１つの光源のみで、電子画像表示機能とシャーカステン機能とを実現できる。また、１つの光源を、電子画像表示機能実現用の光学系と、シャーカステン機能実現用の光学系で、共有するので、部品点数を削減でき、コストダウンを図ることができる。
第５の発明は、第１から第４のいずれかの発明であって、投射レンズから出射された光を反射し、スクリーンに投射する折り返しミラーをさらに備えている。
第６の発明は、第１から第５のいずれかの発明であって、電子画像を記憶する電子画像記憶手段をさらに備えている。
第７の発明は、第１から第６のいずれかの発明であって、スクリーンの外周部の少なくとも一部に配置され、レントゲンフィルムをスクリーン上に保持するレントゲンフィルム保持手段と、レントゲンフィルムが差し込まれたことを検出するレントゲンフィルム差込検出部と、をさらに備えている。照明部切換手段は、レントゲンフィルムがレントゲンフィルム保持手段に差し込まれた場合、第２の照明部を選択する。
これにより、レントゲンフィルムが投写型表示装置に差し込まれると、投写型表示装置を自動的にシャーカステン機能に切り換えることが可能となる。
【発明の効果】
【０００９】
本発明に係る投写型表示装置では、上記の構成を有しているため、異なる機能を有する２つの光学系を切り換えることで、それぞれの機能に適したスクリーン上の輝度を実現することができ、ディスプレイとしての性能（電子画像表示機能の性能）とバックライトとしての性能（シャーカステン機能の性能）との両立を図ることができる。
また、本発明に係る投写型表示装置では、電子画像表示機能実現を実現する場合のみ光学表示素子を含む光学系が使用されることになるので、光学表示素子の信頼性及び耐久性が確保され、投写型表示装置の信頼性及び耐久性を向上させることができる。
【発明を実施するための最良の形態】
【００１０】
［第１実施形態］
＜投写型表示装置の全体構成＞
図１に本発明の第１実施形態に係る投写型表示装置１００の全体構成図を示す。この投写型表示装置１００は、例えばリア型プロジェクタであり、通常の映像信号に基づいた電子画像を表示する機能と、シャーカステンとしても使用できる機能と、を有している。
投写型表示装置１００は、主に、電子画像により変調された光をスクリーン４に照射する第１の照明部としての電子画像表示用照明部１と、バックライト光としての白色光をスクリーン４に照射する第２の照明部としてのシャーカステン用照明部２と、電子画像表示用照明部１とシャーカステン用照明部２とを切り換える照明部切換手段１８と、投射レンズ３３ａ又は３３ｂから出射された光を反射し、スクリーン４に投射する折り返しミラー３と、折り返しミラー３からの光が投射されるスクリーン４と、からなる。
また、この投写型表示装置１００は、スクリーン４の外周部の少なくとも一部に配置され、レントゲンフィルムＦをスクリーン４上に保持するレントゲンフィルム保持手段６と、レントゲンフィルムが差し込まれたことを検出する、レントゲンフィルム差込検出センサ５およびレントゲンフィルム差込検出手段７と、を有している。
【００１１】
さらに、この投写型表示装置１００は、ＣＰＵ８、ＲＯＭ９、ＲＡＭ１０等を含むマイクロコンピュータを有している。そして、これらには、バス１９を介して、前述のレントゲンフィルム差込検出手段７が接続されるとともに、電子画像記憶手段１１及びスクリーン表示用制御手段１６が接続され、さらにインターフェース１２，１３を介してそれぞれ表示手段１４及び入力手段１５が接続されている。また、スクリーン表示用制御手段１６には、スクリーン表示用の電子画像情報を格納するためのスクリーン表示用メモリー１７が接続されている。
なお、表示手段１４及び入力手段１５を除く各構成部材は筐体２０の内部に収納され、あるいは筐体２０に支持されている。
スクリーン４は、シャーカステン用および電子画像表示用として用いられる。シャーカステン用として使用される場合は、スクリーン４は全面が白表示され、電子画像表示用として用いる場合は、スクリーン４は複数の領域に分割され、その分割領域ごとに任意の電子画像が表示される。図４は、スクリーン４上に３つの分割表示領域Ａ、Ｂ、Ｃを有する投写型表示装置１００であるが、この分割表示領域Ａ、Ｂ、Ｃにそれぞれ任意の電子画像を表示することができる。この投写型表示装置１００では、例えば、画面サイズは対角線でおよそ４０インチ程度であり、これを縦横比が４：３の２０インチのサイズの画面が３枚確保できる大きさに設定されている。
【００１２】
図２に示すように、電子画像表示用照明部１は、光源３０ａを含み、電子画像により変調された光を出射する第１の光学駆動部としての光学駆動部３００と、光学駆動部３００から出射された光を拡大する第２の投射レンズとしての投射レンズ３３ａと、を有している。光学駆動部３００は、図２に示すように、主に、第１の光源としての光源３０ａと、光源３０ａから出射された光を照明光に変換する照明光学系３１ａと、電子画像に基づいて透過率を変化させることにより、照明光学系３１ａからの出射光に変調をかける光学表示素子３２と、から構成されている。光源３０ａとしては、例えば超高圧水銀ランプなどが用いられる。照明光学系３１ａは、光源３０ａから出射された光を分割、合成する部分であり、この照明光学系３１ａにより光学表示素子３２への均一な照明が実現される。光学表示素子３２は、透過型であり、医療画像として耐えうる解像度及び階調性を有する液晶パネルなどが用いられる。そして、この光学表示素子３２の透過率を変化させることで、スクリーン４上の表示を変更させることができる。光学表示素子３２は、例えば、液晶素子と、その液晶素子の両端に、偏光板やコントラスト向上用のＷＶフィルム等の有機材料が付加されて形成されたものである。なお、スクリーン上で５００ｃｄ／ｍ２を実現しようとすると、光学表示素子３２及びその付近の温度が４０〜６０℃程度になり、部材の耐熱基準６０〜８０°に近い値となり、耐熱裕度が少なくなるので、電子画像表示用照明部１内の冷却を行う。
【００１３】
図２に示すように、シャーカステン用照明部２は、主に、バックライト光としての白色光を出射する第２の光学駆動部としての光学駆動部３０１と、光学駆動部３０１から出射された光を拡大する第２の投射レンズとしての投射レンズ３３ｂと、から構成されている。光学駆動部３０１は、主に、第２の光源としての光源３０ｂと、光源３０ｂから出射された光を集光する照明光学系３１ｂと、から構成されている。光源３０ｂ、照明光学系３１ｂは、それぞれ、光源３０ａ、照明光学系３１ａと同等の特性を有するものである。
投射レンズ３３ａは、例えば複数のレンズから構成されており、光学表示素子３２を透過した光束を取り込み、図１に示した折り返しミラー３に投射するものである。
投射レンズ３３ｂは、投射レンズ３３ａと同様の特性を有するものである。
折り返しミラー３は、投射レンズ３３ａ又は投射レンズ３３ｂから出射された光をスクリーン４へ反射する。折り返しミラー３は、光学表示素子３２の表示領域を透過した光、又はバックライト光として白色光が、スクリーン４上に投影される位置に設置されている。
レントゲンフィルム保持手段６は、スクリーン４上に、レントゲンフィルムＦを保持する。具体的には図１、図４に示すように、レントゲンフィルム保持手段６は、例えばスクリーン４の上端部に配置されており、差し込まれたレントゲンフィルムＦをスクリーン４上に保持する保持機構を有している。
【００１４】
レントゲンフィルム差込検出センサ５は、レントゲンフィルムＦがレントゲンフィルム保持手段６に差し込まれたこと、及び差し込まれていたレントゲンフィルムＦが抜かれたことを検出するセンサであり、レントゲンフィルムＦのレントゲンフィルム保持手段６への抜き差しの有無を示す物理量（例えば、圧力の変化や電流量）として取得する。レントゲンフィルム差込検出センサ５としては、例えば、レントゲンフィルム保持手段６のレントゲンフィルムが差し込まれる領域に設置され、光の透過量や反射量の変化を測定する光センサ（例えば、透過型フォトインタラプタ、フォトダイオード、フォトトランジスタや反射型フォトインタラプタ、フォトダイオード、フォトトランジスタ。）やレントゲンフィルム保持手段６のレントゲンフィルムと接触する部分の圧力変化を測定する圧力センサが用いられる。
レントゲンフィルム差込検出手段７は、レントゲンフィルム差込検出センサ５からの出力を受け、その出力結果からレントゲンフィルムＦの抜き差し情報を取得し、その情報をＣＰＵ８に伝える。
ＣＰＵ８は、スクリーン表示用制御手段１６とともに分割表示制御機能を実現しており、この分割表示制御機能により光学駆動部３００が制御され、スクリーン４上において、複数の表示領域に分割して電子画像表示することが可能である。また、ＣＰＵ８は、レントゲンフィルム差込検出手段７とともに、スクリーン４上にレントゲンフィルムＦが差し込まれたかを検出する機能を有している。さらに、入力手段１５からの指示情報又はレントゲンフィルム差込検出手段７からの出力結果に基づき、スクリーン４上に電子画像表示機能又はシャーカステン機能を実現するよう照明部切換手段１８を制御する。
【００１５】
電子画像記憶手段１１は、レントゲン電子画像データを記憶しておくものであり、例えば、ＨＤＤ装置、半導体メモリーなどである。
表示手段１４は、ＣＰＵ８等での制御内容などの情報を表示するものであり、例えば、液晶パネル、外部モニターなどである。なお、表示手段１４はスクリーン４を共用してもよい。
入力手段１５は、例えば、キーボード、リモコン、タッチパネル、筐体２０に設置されたボタンなどである。そして、この入力手段１５により、主に、スクリーン４上に電子画像表示機能を実現させるか、あるいは、シャーカステン機能を実現させるかを示す情報、電子画像表示機能を実現させる場合には、レントゲン電子画像を表示させるスクリーン４上の分割表示領域がどれかを示す情報（以下、「電子画像表示機能実現領域情報」という。）、及び当該レントゲン画像を特定する情報（以下、「電子画像ファイル情報」という。）が入力される。
以上の構成により、投写型表示装置１００では、レントゲン電子画像表示機能およびシャーカステン機能を、スクリーン４上で実現することができる。そして、投写型表示装置１００でシャーカステン機能を実現させる場合には、有機フィルム等の熱に弱い部材を用いていない、電子画像表示用の光学系とは別の光学系を使用し、スクリーン上で３０００ｃｄ／ｍ２程度の高輝度を実現するときの熱に耐えられる構成となっているので、装置の耐用性、信頼性の高い投写型表示装置を実現することができる。
【００１６】
なお、説明の便宜のため、レントゲンフィルム差込検出センサ５、レントゲンフィルム保持手段６、レントゲンフィルムＦの部分を大きめに記載しているが、当該部分の大きさ等は図１、図４等に限定されるものではない。
＜投写型表示装置の動作＞
本発明の第１実施形態に係る投写型表示装置１００の動作について説明する。ここでは、図１、図４に示すように、レントゲン電子画像を表示可能な３つの領域（領域Ａ、Ｂ、Ｃ）からなるスクリーン４を有する投写型表示装置１００について説明する。
まず、入力手段１５により、投写型表示装置１００に、電子画像表示機能を実現させるか、シャーカステン機能を実現させるかの情報が入力される。入力手段１５で入力された情報は、ＲＡＭ１０、電子画像記憶手段等に記憶され、ＣＰＵ８により管理される。電子画像表示機能を実現させる情報が入力された場合で、スクリーン４の領域Ｂにレントゲン電子画像を表示させる場合（電子画像表示機能実現領域情報が領域Ｂである場合）を例に説明する。
ＣＰＵ８は、入力手段１５からの情報を受け取り、電子画像表示用照明部１を選択するように照明部切換手段１８を制御する。そして、電子画像ファイル情報により特定されるレントゲン電子画像データを電子画像記憶手段１１から読み出し、その電子画像データに基づき、スクリーン表示用制御手段１６を介して、光学表示素子３２の真ん中部分（スクリーン４上の真ん中の分割表示領域Ｂに相当する部分）の透過率を変化させることで、照明光学系３１ａから出射された光を電子画像データに基づく変調光に変化させ、投射レンズ３３ａへ出射させる。この光は、折り返しミラー３で反射され、スクリーン４上の真ん中の分割表示領域Ｂに投射され、そこで、レントゲン電子画像として表示される。
【００１７】
次に、入力手段１５で、シャーカステン機能を実現させる情報が入力された場合、ＣＰＵ８は、入力手段１５からの情報を受け取り、シャーカステン用照明部２を選択するように照明部切換手段１８を制御する。そして、光源３０ｂから出射された光は、照明光学系３１ｂ、投射レンズ３３ｂを経て、折り返しミラー３で反射され、スクリーン４上にバックライト光としての白色光を照射する。この場合のスクリーン４への投射光は、光学表示素子等を通過せず、投射光が液晶素子等で減衰することがないので、スクリーン４上にシャーカステンとして使用可能な３０００ｃｄ／ｍ２程度の高輝度を実現することができる。
＜投写型表示装置の自動切換動作＞
本発明の第１実施形態に係る投写型表示装置１００の、シャーカステン機能と電子画像表示機能の自動切換動作について、図１、２、４、５を用いて、説明する。
ＣＰＵ８は、レントゲンフィルム差込検出手段７からの出力結果を監視しており（Ｓ１００１）、レントゲンフィルムＦがレントゲンフィルム保持手段６に差し込まれたことを検出すると、投写型表示装置１００がシャーカステン機能を実現しているか、電子画像表示機能を実現しているかの情報を取得する。シャーカステン機能が実現されていると判定した場合、その状態を維持させ（Ｓ１００２）、電子画像表示機能が実現されていると判定した場合（Ｓ１００２）、電子画像表示用照明部１からシャーカステン用照明部２に切り換えるように照明部切換手段１８を制御する。そして、電子画像表示用照明部１の光源３０ａの出力を停止または出力を低下させる。
【００１８】
以上により、レントゲンフィルムＦがレントゲンフィルム保持手段６に差し込まれた場合、入力手段１５から別途指示することなく、投写型表示装置１００が、自動的にシャーカステン機能を実現するようにすることができる。
［第２実施形態］
前述の実施形態では、電子画像表示用照明部１とシャーカステン用照明部２とが別個の光源を有しているが、これらの照明部１および２が１つの光源を共有している場合も考えられる。図３を用いて、本発明の第２実施形態に係る投写型表示装置について説明する。図３に第２実施形態に係る投写型表示装置１００の電子画像表示用照明部１’およびシャーカステン用照明部２の構成を示す。
図３に示すように、電子画像表示用照明部１’およびシャーカステン用照明部２は、光源３０ａ’を共有している。具体的には、光源３０ａ’は、移動機構３０２により移動可能に支持されており、位置ＰＯＳ１と位置ＰＯＳ２との間を移動機構３０２により移動することができる。移動機構３０２は、ＣＰＵ８により動作が制御される。なお、その他の構成については、第１実施形態と同様であるので、説明を省略する。
ここで、第２実施形態に係る投写型表示装置１００の照明部切換動作について説明する。
【００１９】
投写型表示装置１００において、照明部切換手段１８により、電子画像表示用照明部１’からシャーカステン用照明部２に切り換える場合、ＣＰＵ８は、光源３０ａ’を位置ＰＯＳ１から位置ＰＯＳ２に移動させるように移動機構３０２を制御する。一方、照明部切換手段１８により、シャーカステン用照明部２から電子画像表示用照明部１’に切り換える場合、ＣＰＵ８は、光源３０ａ’を位置ＰＯＳ２から位置ＰＯＳ１に移動させるように移動機構３０２を制御する。
これにより、投写型表示装置１００において、電子画像表示機能からシャーカステン機能に切り換えることができ、１つの光源３０ａ’により電子画像表示機能とシャーカステン機能とを実現することができる。なお、その他の動作は、第１実施形態と同様であるため、詳細な説明は省略する。
［他の実施形態］
本発明の具体的な構成は、前述の実施形態に限られるものではなく、発明の要旨を逸脱しない範囲で種々の変更および修正が可能である。
（ａ）
前述の実施形態では、電子画像表示用照明部１が単板式であるが、３板式であってもよい。図６に他の実施形態の投写型表示装置１００’の全体構成図を示す。図７に投写型表示装置１００’の電子画像表示用照明部１ａとシャーカステン用照明部２の構成図を示す。図７に示す部分以外については、第１実施形態の投写型表示装置１００と同様である。
【００２０】
図７に示すように、光学駆動部４００は、３つの光学表示素子３２ｒ，３２ｇ，３２ｂを用いる構成にしてもよい。この場合、光源３０、照明光学系３１からの光は、第１のダイクロイックミラー４２、第２のダイクロイックミラー４３、３つの全反射ミラー４４、４５、４６により、ＲＧＢの光に分解される。光学表示素子３２ｒ，３２ｇ，３２ｂは、それぞれＲ成分、Ｇ成分、Ｂ成分用として用いられるものである。３つの光学表示素子を通った光は、ダイクロイックプリズム４７によって集光され、投射レンズ３３ａへ出射される。
このように３つの光学表示素子を用いて電子画像表示機能を実現する場合は、スクリーン４上の分割表示領域と３つの光学表示素子３２のそれぞれの対応する領域について同様の制御を行えばよい。
また、前述の第２実施形態と同様に、電子画像表示用照明部１ａとシャーカステン用照明部２とが光源を共有していてもよい。具体的には図８に示すように、光源４０ａ’は、移動機構４０２により移動可能に支持されており、光源４０ａ’を位置ＰＯＳ３と位置ＰＯＳ４との間を移動することができる。電子画像表示用照明部１ａ’とシャーカステン用照明部２とを切り換えるようにしてもよい。なお、移動機構４０２に設置される移動可能な光源４０ａ’は、電子画像表示用照明部１ａ’内に配置される場合、図８の方向ＲＯＴ方向に回転し、光源４０ａ’から出射される光の光路が電子画像表示用照明部１ａ’の光路に一致するように位置決めされる。
【００２１】
（ｂ）
前述の各実施形態では、電子画像表示機能を実現する場合、スクリーン４の分割表示領域に電子画像を表示させるようにしているが、スクリーン４の表示領域を分割せずにスクリーン４全体を使って電子画像を表示させるようにしてもよい。
（ｃ）
前述の各実施形態では、光学表示素子として透過型の光学表示素子を使用しているが、反射型の光学表示素子を使用して、投写型表示装置を構成してもよい。
（ｄ）
前述の各実施形態では、折り返しミラーを用いるリア型の投写型表示装置について説明したが、折り返しミラーを用いない投写型表示装置であってもよい。この場合、投射レンズから出射された光が直接スクリーンに投射されることとなる。
【産業上の利用可能性】
【００２２】
本発明に係る投写型表示装置は、レントゲンフィルムや医療用電子画像影像の高精度かつ的確な判断を実現することができるため、医療関連産業分野において、有用であり、本発明に係る投写型表示装置は、当該分野において実施することができる。
【図面の簡単な説明】
【００２３】
【図１】本発明の第１実施形態に係る投写型表示装置の全体構成図。
【図２】本発明の第１実施形態に係る投写型表示装置の電子画像表示用照明部およびシャーカステン用照明部の構成図。
【図３】本発明の第２実施形態に係る投写型表示装置の電子画像表示用照明部およびシャーカステン用照明部の構成図。
【図４】本発明の第１実施形態に係る投写型表示装置の正面図。
【図５】本発明の第１実施形態に係る投写型表示装置の動作フロー。
【図６】本発明の他の実施形態に係る投写型表示装置の全体構成図。
【図７】本発明の他の実施形態に係る投写型表示装置の電子画像表示用照明部およびシャーカステン用照明部の構成図。
【図８】本発明の他の実施形態に係る投写型表示装置の電子画像表示用照明部およびシャーカステン用照明部の構成図。
【符号の説明】
【００２４】
１  電子画像表示用照明部（第１の照明部）
２  シャーカステン用照明部（第２の照明部）
３  折り返しミラー
４  スクリーン
５  レントゲンフィルム検出センサ
６  レントゲンフィルム保持手段
７  レントゲンフィルム差込検出手段
８  ＣＰＵ
９  ＲＯＭ
１０  ＲＡＭ
１１  電子画像記憶手段
１８  照明部切換手段
３００、３０１、４００  光学駆動部（第１の光学駆動部、第２の光学駆動部）
３０ａ、３０ｂ、３０ａ’、４０ａ、４０ａ’  光源（第１の光源、第２の光源）
３１ａ、３１ｂ、４１ａ  照明光学系
３２、３２ｒ、３２ｇ、３２ｂ  光学表示素子
３３ａ、３３ｂ、  投射レンズ（第１の投射レンズ、第２の投射レンズ）
３０２、４０２  移動機構
Ｆ  レントゲンフィルム
【図１】
2008058533.tif 000003
【図２】
2008058533.tif 000004
【図３】
2008058533.tif 000005
【図４】
2008058533.tif 000006
【図５】
2008058533.tif 000007
【図６】
2008058533.tif 000008
【図７】
2008058533.tif 000009
【図８】
2008058533.tif 000010